(57)【要約】【課題】縦樋の設置位置に制限を設けることなく、施工誤差等により縦樋が所望の位置に設置されていなくても、縦樋を保持可能とする縦樋控え金具を提供することをを目的とする。【解決手段】縦樋８を保持する縦樋保持具２と、建物の壁面に取付けられる基部４と、縦樋保持具２と基部４とに接合される連結プレート３からなり、連結プレート３は、基部４上を摺動できるようになされていることにより、連結プレート３の位置を調整可能であることを特徴とする縦樋控え金具により解決される。【選択図】    図１
2010196323.tif 000002
【特許請求の範囲】
【請求項１】
縦樋を保持する控え金具であって、
縦樋を保持する保持具と、
建物の壁面に取付けられる基部と、
前記保持具と前記基部とに連結される連結部からなり、
前記連結部は、前記基部上を摺動でき、前記連結部の位置を調整可能であることを特徴とする縦樋控え金具。
【請求項２】
前記基部は、前記縦樋の水平方向に長さを調整できる調整機構を備えていることを特徴とする請求項１記載の縦樋控え金具。
【請求項３】
前記基部は、第１板状部材と第２板状部材からなり、前記調整機構は、前記第１板状部材が第２板状部材上を摺動することにより、前記縦樋の水平方向に長さを調整できるようになされていることを特徴とする請求項１記載及び請求項２記載の縦樋控え金具。
【請求項４】
請求項１から請求項３記載の縦樋控え金具が波板を外装材とした建物に取付けられていることを特徴とする縦樋控え金具取付け構造。
【発明の詳細な説明】
【技術分野】
【０００１】
本発明は、建築物の屋根からの雨水を集める軒樋に連結される縦樋を固定する縦樋支持金具に関する。
【背景技術】
【０００２】
従来から、建物の外壁の上下に所定の間隔を隔てて縦樋控え金具を配置して縦樋控え金具を外壁に取り付け、縦樋控え金具に縦樋を保持している。つまり、縦樋控え金具には壁取り付け部と縦樋保持部とを有しており壁取り付け部を外壁に取付けると共に縦樋保持部に縦樋を保持して外壁の外周に対して所定の間隔を隔てて縦樋を保持できるようになっている。
【０００３】
これに対し、複数の縦樋を壁取付け部と縦樋保持部との距離を一定間隔に保つことで、縦樋が曲がりなく設置でき外観を美麗にできる工夫や、壁取付け部と縦樋保持部を足掛にしてベランダから侵入されるのを防ぐための工夫が種々行われている。
【先行技術文献】
【特許文献】
【０００４】
【特許文献１】特開２００２−２４２３９１号公報
【特許文献２】特開２００５−２９９３２７号公報
【発明の概要】
【発明が解決しようとする課題】
【０００５】
しかし、外壁材が波板の場合は、縦樋控え金具が波板の凹部を利用して取付けられるので、縦樋控え金具を自由に動かすことができず、決められた位置にしか縦樋を設置できないという問題があった。
【０００６】
また、施工誤差等により所望の位置に縦樋が設置されなかった場合、縦樋と縦樋控え金具とを連結するのに別途資材が必要であった。
【０００７】
また、波板の種類にあわせて、複数の縦樋控え金具を用意必要もあった。
【０００８】
本発明は、以上のような問題点に鑑み、縦樋の設置位置に制限を設けることなく、施工誤差等により縦樋が所望の位置に設置されていなくても、縦樋を保持可能とし、波板の種類に関係なく取付けれる縦樋控え金具を提供することを目的とする。
【課題を解決するための手段】
【０００９】
上記の課題は、縦樋を保持する控え金具であって、縦樋を保持する保持具と、建物の壁面に取付けられる基部と、前記保持具と前記基部とに連結される連結部からなり、前記連結部は、前記基部上を摺動でき、位置調整が可能であることを特徴とする縦樋控え金具により解決される。
【００１０】
この構成によれば、縦樋を保持する保持具と、建物の壁面に取付けられる基部と、前記保持具と前記基部とに連結される連結部からなり、前記連結部は、前記基部上を摺動でき、位置調整が可能であるので、縦樋の位置に合わせて、前記連結部が前記基部上を摺動することにより、縦樋と保持具を連結することができる。
【００１１】
特に、前記基部は、前記縦樋の水平方向に長さを調整できる調整機構を備えていることが好ましい。この場合、建物の外壁材に波板が用いられている場合であっても、前記調整機構により前記基部の長さを調整することができるので、波板の凸部の寸法に関係なく前記基部を取り付けることができる。
【００１２】
また、前記基部は、第１板状部材と第２板状部材からなり、前記調整機構は、前記第１板状部材が第２板状部材上を摺動することにより、前記縦樋の水平方向に長さを調整できるようになされていることを特徴とする控え金具によっても解決される。
【００１３】
さらに、縦樋控え金具が波板を外装材とした建物に取付けられていることを特徴とする縦樋控え金具取付け構造によっても解決される。
【発明の効果】
【００１４】
本発明は以上のとおりであるから、縦樋の位置に制限を設けることなく、また、縦樋が所望の位置に設置されなくても別途資材も必要なく縦樋を保持できる縦樋控え金具を提供することができる。
【図面の簡単な説明】
【００１５】
【図１】本実施形態を示すものであり、（イ）は全体を示す斜視図、（ロ）は分解斜視図である。
【図２】本実施形態のボルト挿通状態を示す図であり、（イ）は一部断面平面図、（ロ）は断面正面図である
【図３】本実施形態の使用方法を示す断面正面図である。
【図４】本実施形態の縦樋控え金具を角波鉄板に取付けた状態を示す、斜視図である。
【発明を実施するための形態】
【００１６】
次に、本発明の実施最良形態を図面に基づいて説明する。
【００１７】
図１（イ）に示す縦樋控え金具１は、縦樋保持具２と、連結部である連結プレート３と、基部４を構成する第１板状部材である第１プレート５と第２板状部材である第２プレート６とからなり、連結プレート３と第２プレート６との間に第１プレート５を介設してボルト７で固定することで一体化するようになされている。縦樋保持具２は、連結プレート３とボルトで固定されることにより連結され、縦樋控え金具１は基部４を建物側に取付けることで設置することができる。
【００１８】
連結プレート３と基部４を更に詳しく説明すると、図１（ロ）に示すように、連結プレート３は断面視Ｌ型のプレートであって、起立部３１に縦樋保持具２と連結するために丸孔３３が２つ設けられており、底面部３２には長手方向に長穴３４が設けられている。第１プレート５は、断面視略Ｚ型のプレートであって、建物設置部５１と中間部５２と介設面部５３からなり、介設面部５３には長手方向に長穴５４が設けられている。第２プレート６は、断面視略逆Ｚ型のプレートであって、建物設置部６１と中間部６２と上面部６３からなり、上面部６３には挿通孔６４が長手方向に所定の間隔を設けて２つ設けられている。なお、建物設置部５１と建物設置部６１とにビスを打つことで基部４を建物に取付けることができる。
【００１９】
次に、縦樋控え金具１の位置調整方法について説明する。図３（イ）に示すように、縦樋８が基部４の中央部に配置されている場合、縦樋保持具２と連結する起立部３１が、基部４の中央部に設置されるように連結プレート３の長穴３４の起立部３１側端部と第１プレート５の長穴５４と第２プレート６の上部面６３の端部側挿通孔６４とにボルト７が挿通され、連結プレート３と第１プレート５と第２プレート６とが固定されている。
【００２０】
また、図３（ロ）に示すように縦樋８が建物設置部５１の直行線上に設置されている場合、起立部３１が建物設置部５１の直行線上に設置されるように連結プレート３の長穴３４の起立部３１と反対側の端部と第１プレート５の長穴５４と第２プレート６の上部面６３の端部側挿通孔６４とにボルト７が挿通され、第１プレート５と第２プレート６とが固定されている。
【００２１】
このように、連結プレート３は、底面部３２を第１プレート５の介設面部５３上を摺動できるようになれされているので、縦樋８の位置に合わせて起立部３１の位置を調整し、縦樋８を縦樋保持具２で保持することができる。
【００２２】
このとき、ボルト７を挿通した状態で長穴３４と長穴５４をガイドとして摺動させることができるので、手間なく容易に縦樋８の位置に合わせることができる。
【００２３】
なお、図３では、第２プレート６の端部側の挿通孔６４にボルト７を挿通しているが、縦樋８が第２プレート６の端部側の挿通孔６４の直行線上に設置された場合、挿通孔６４に挿通されたボルト７と起立部３１との距離が一定であるため、縦樋保持具２と縦樋８が取り合うことが出来ない。このような問題が生じたときは、必要に応じて他方の挿通孔６４に挿通することにより、縦樋８と縦樋保持具２を取り合うことができる。
【００２４】
続いて、基部４の長さ調整方法を説明する。図３（ロ）は、角波鉄板９の凸部寸法が２００ｍｍであり、図３（ハ）に示す角波鉄板９の凸部の寸法は１２０ｍｍであり、それぞれ基部４が取付けられている。このように寸法の違う角波鉄板９に取付け可能とするために、基部４の第１プレート５の介設面部５３を第２プレート６の上面部６３上を摺動できるようになされている。
【００２５】
つまり、図３（ロ）〜（ハ）に示すように幅を２００ｍｍから１２０ｍｍに縮める場合は、第１プレート５の介設面部５３を第２プレート６の上面部６３上を第２プレート６の建物設置部６１方向に摺動させることで可能となる。なお、連結プレート３の摺動と同様にボルト７を長穴５４と挿通孔６４に挿通したまま摺動が可能であり、また、長穴５４の範囲内であれば、基部４の長さを自由に設定することができる。
【００２６】
これにより、図４にも示すように角波鉄板に縦樋控え金具１を取付けるにあたって、角波鉄板９の凸部の寸法に合わせて基部４を所望の長さに調整することができる。
【００２７】
以上に、本発明の実施形態を示したが、本発明はこれに限られるものではなく、発明思想を逸脱しない範囲で各種の変更が可能である。例えば、上記の実施形態では、下側プレートに挿通孔を２つ設けるようにしたが、連結プレート、上側プレートと同様に長穴を設けてもよい。
【００２８】
また、上記実施形態では、プレートを使用しているが、樹脂等でもよく、本発明を実施することが可能な材質であれば何でもよい。
【符号の説明】
【００２９】
１・・・縦樋控え金具
２・・・縦樋保持具
３・・・連結プレート
４・・・基部
５・・・第１プレート
６・・・第２プレート
７・・・ボルト
８・・・縦樋
３１・・・起立部
３２・・・底面部
３３・・・丸孔
３４、５４・・・長穴
５１、６１・・・建物設置部
５２、６２・・・中間部
５３・・・介設面部
６３・・・上面部
６４・・・挿通孔
【図１】
2010196323.tif 000003
【図２】
2010196323.tif 000004
【図３】
2010196323.tif 000005
【図４】
2010196323.tif 000006